(57)【要約】【課題】コンパクトで、レンズフードに段差部がなくてもレンズフードに対してずれたり外れたりしにくいレンズキャップを提供する。【解決手段】レンズキャップ１は、レンズ鏡筒３に取り付けられたレンズフード３５に、該レンズフードの前端開口を覆うように被せられる。レンズキャップは、レンズフードの外周面に装着される筒部１２を有する。筒部は、レンズフードの外周面から突出した凸部３５１を収容可能な開口部１３と、該筒部の後端と開口部との間での凸部の通過を可能とする通路部１４とを有する。レンズキャップは、通路部を開閉し、閉じ状態で固定される開閉部１５を有する。【選択図】図１
2012042874.tif 000002
【特許請求の範囲】
【請求項１】
レンズ鏡筒に取り付けられたレンズフードに、該レンズフードの前端開口を覆うように被せられるレンズキャップであって、
該レンズキャップは、前記レンズフードの外周面に装着される筒部を有し、
該筒部の前後方向の長さは、前記レンズフードの外周面の前後方向の長さよりも短く、
前記筒部は、前記レンズフードの外周面から突出した凸部を収容可能な開口部と、該筒部の後端と前記開口部との間で前記凸部の通過が可能な通路部とを有し、
該レンズキャップは、前記通路部を開閉し、閉じ状態で固定される開閉部を有することを特徴とするレンズキャップ。
【請求項２】
前記筒部は、伸縮性を有するとともに前記レンズフードの外周面の外径より大きな内径を有し、
該筒部の内周面には、滑り止め部が設けられており、
前記開閉部を前記筒部の内径を小さくしながら閉じて固定することにより、前記滑り止め部が前記レンズフードの外周面に押し付けられることを特徴とする請求項１に記載のレンズキャップ。
【請求項３】
前記凸部は、前記レンズフードを前記レンズ鏡筒に取り付けるための部材であることを特徴とする請求項１又は２に記載のレンズキャップ。
【請求項４】
請求項１から３のいずれか一項に記載のレンズキャップを備え、該レンズキャップが被せられることを特徴とするレンズフード。
【発明の詳細な説明】
【技術分野】
【０００１】
本発明は、交換レンズ等のレンズ鏡筒に取り付けられるレンズフードの前端開口を覆うレンズキャップに関する。
【背景技術】
【０００２】
交換レンズを装着したカメラを持ち歩いたり交換レンズを収納したりする際に、その交換レンズにレンズフードが取り付けられている場合には、レンズフードごと交換レンズの前端（つまりはレンズフードの前端開口）を覆うレンズキャップが用いられる。このようなレンズキャップとして、布や合成皮革といった柔らかい素材で作られたものが特許文献１，２にて開示されている。
【先行技術文献】
【特許文献】
【０００３】
【特許文献１】特開平０７−１１４０６０号公報
【特許文献２】特開平０８−１４６４８９号公報
【発明の概要】
【発明が解決しようとする課題】
【０００４】
しかしながら、特許文献１にて開示されたレンズキャップでは、紐を引っ張って、レンズキャップの筒部のうちレンズフードの後端よりも後方まで延びた開放端側の部分を絞ることで、レンズキャップをレンズフードに固定する方式を採用している。このため、レンズキャップの全長（すなわち、レンズフードの前端開口を覆うレンズキャップの底部からレンズキャップの筒部の開放端までの長さ）が、レンズフードの全長より長くなる。したがって、撮影を行うためにレンズキャップをレンズフードから取り外している間の該レンズキャップの収納性が良くない。
【０００５】
なお、レンズキャップの全長をレンズフードよりも短くすれば、収納性を改善することは可能である。しかし、この場合、組紐を引っ張ってレンズキャップの筒部（開放端側の部分）を絞っても、筒部がレンズフードの外周面に接触するだけとなるため、レンズキャップがレンズフードに対して前方にずれたり外れたりし易くなる。
【０００６】
また、特許文献２にて開示されたレンズキャップでは、紐を引っ張ると、レンズキャップの筒部の開放端側の部分が絞られて、がレンズ鏡筒の外周に周方向に延びる段差部またはレンズフードの後端とレンズ鏡筒との間において周方向に延びる段差部に食い込む。これにより、レンズキャップは、レンズ鏡筒またはレンズフードに前方にずれたり外れたりしないように固定される。しかし、このレンズキャップは、上記のような段差部がない場合には固定することができない。
【０００７】
本発明は、コンパクトで、レンズフードに段差部がなくてもレンズフードに対してずれたり外れたりしにくいレンズキャップおよびこれが用いられるレンズフードを提供する。
【課題を解決するための手段】
【０００８】
本発明の一側面としてのレンズキャップは、レンズ鏡筒に取り付けられたレンズフードに、該レンズフードの前端開口を覆うように被せられる。レンズキャップは、レンズフードの外周面に装着される筒部を有する。筒部は、レンズフードの外周面から突出した凸部を収容可能な開口部と、該筒部の後端と開口部との間での凸部の通過を可能とする通路部とを有する。そして、レンズキャップは、通路部を開閉し、閉じ状態で固定される開閉部を有することを特徴とする。
【０００９】
なお、上記レンズキャップが被せられるレンズフードも、本発明の他の一側面を構成する。
【発明の効果】
【００１０】
本発明のレンズキャップをレンズフードに被せる際には、レンズフードから突出した凸部を、筒部に設けられた通路部を通して開口部に収容し、開閉部を閉じる。これにより、レンズフードよりも前後方向の長さが短いコンパクトな形状を有し、レンズフードに段差部がなくてもレンズフードに対してずれたり外れたりし難いレンズキャップを実現することができる。
【図面の簡単な説明】
【００１１】
【図１】本発明の実施例であるレンズキャップ（タブ部が開かれた状態）の外観図。
【図２】実施例のレンズキャップの断面図。
【図３】実施例のレンズキャップ（タブ部が閉じられた状態）の外観図。
【図４】実施例のレンズキャップが被せられるレンズフード（格納状態）が取り付けられた交換レンズを示す図。
【図５】図４のレンズフードにレンズキャップを被せる途中の状態を示す図。
【図６】図４のレンズフードにレンズキャップを被せた状態を示す図。
【図７】実施例のレンズキャップが被せられるレンズフード（突出状態）が取り付けられた交換レンズを示す図。
【図８】図７のレンズフードにレンズキャップを被せた状態を示す図。
【図９】実施例のレンズキャップをレンズフードに被せた交換レンズをレンズケースに収納した状態を示す断面図。
【発明を実施するための形態】
【００１２】
以下、本発明の実施例について図面を参照しながら説明する。
【実施例１】
【００１３】
図１から図３には、本発明の実施例であるレンズキャップ１を示している。図１および図３にはレンズキャップ１の外観を示している。図２には、レンズキャップ１を、その前後方向に沿って切断して示している。なお、本実施例において、「前」とはレンズキャップ１が被せられるレンズフードが取り付けられたレンズ鏡筒（本実施例では交換レンズのレンズ鏡筒）の物体側に相当し、「後」とは該レンズ鏡筒の像側に相当する。また、前後方向とは、レンズ鏡筒の光軸方向に相当する。
【００１４】
レンズキャップ１は、前後方向に延びる円筒部（筒部）１２と、該円筒部１２の前端開口を閉じる円盤部１１とを有する。円筒部１２は、レンズフードの外周面のうち前側部分を覆いながら、該レンズフードの外周面に装着される。
【００１５】
円筒部１２の周方向の一部には、該円筒部１２を径方向に貫通する開口部１３が形成されている。開口部１３は、後述するフード固定ノブ３５１を収容可能な大きさを有する。
【００１６】
また、円筒部１２における開口部１３と後端（レンズキャップ１の開放端）２０との間には、前後方向に延び、かつ円筒部１２を径方向に貫通する通路部１４が形成されている。通路部１４は、フード固定ノブ３５１を前後方向に通過させることが可能な幅（周方向寸法）を有する。
【００１７】
円筒部１２における通路部１４の幅方向（周方向）一方の側には、他方の側に延びる開閉部としてのタブ部１５が形成されている。タブ部１５は、図１に示すように通路部１４を開放する開き状態と、図３に示すように通路部１４を閉じる閉じ状態とに変位することができる。
【００１８】
また、タブ部１５の先端部の内面には、マジックテープ（登録商標）と称される可撓性の面ファスナー（固着部材）を構成する一方の部材であるループ部材１６が取り付けられている。また、円筒部１２のうち閉じ状態のタブ部１５の先端部が重なる部分には、面ファスナーを構成する他方の部材であるフック部材１７が取り付けられている。
【００１９】
図３に示すように、タブ部１５を閉じてループ部材１６をフック部材１７に押し当てると両者が貼り付き、タブ部１５が通路部１４を遮蔽する閉じ状態に固定される。図１に示すようにタブ部１５（ループ部材１６）をフック部材１７から円筒部１２の径方向外側に引き剥がして開き状態とすることで、通路部１４が開放される。なお、タブ部１５にフック部材を取り付け、円筒部にループ部材を取り付けてもよい。
【００２０】
円筒部１２の内径は、レンズフードの外径よりも若干大きく設定されている。また、レンズキャップ１のうち少なくとも円筒部１２は、伸縮性（弾性）のある素材によって作られている。
【００２１】
図２に示すように、円盤部１１の内部には、合成樹脂またはエラストマーにより形成された剛性が高い補強板１９が配置されている。これにより、円盤部１１に外力が加わっても円盤部１１は変形し難い。円筒部１２の内周面のうち後端２０に近い位置であって周方向等間隔の４箇所（図２には２箇所のみを示す）には、表面に凹凸が形成された滑り止め部材１８が取り付けられている。
【００２２】
図４には、レンズフード３５が取り付けられた交換レンズ（レンズ鏡筒）３を示している。図４の上側には平面図を、下側には側面図を示している。このことは、後に説明する図５〜図９においても同様である。
【００２３】
レンズフード３５は、その外周面に設けられたフード固定ノブ（レンズフード３５を取り付けるための部材）３５１を回転させ、該フード固定ノブ３５１に一体的に設けられたネジを交換レンズ３に対して締め込むことで、交換レンズ３に取り付けられる。フード固定ノブ３５１は、レンズフード３５の外周面から突出した凸部に相当する。
【００２４】
レンズフード３５は、フード固定ノブ３５１および交換レンズ３に対して前後方向にスライドすることが可能である。図４には、レンズフード３５が後方にスライドし、レンズフード３５の前端が交換レンズ３の前端の位置まで後退した格納状態を示している。
【００２５】
交換レンズ３は、その後端に、不図示のカメラのマウント部に装着されるマウント部３２を有している。
【００２６】
図５は、交換レンズ３に対して格納状態にあるレンズフード３５に対して、レンズキャップ１を被せる途中の様子を示している。レンズキャップ１のタブ部１５を図１に示したように開き状態とし、開放された通路部１４とフード固定ノブ３５１の位相が合うようにレンズキャップ１の回転方向の位置を決める。
【００２７】
そして、レンズキャップ１を、レンズフード３５に対して後方に移動させて円筒部１２の後端（開放端）からレンズフード３５の外周に被せる。このとき、フード固定ノブ３５１は通路部１４を前方に向かって通過し、開口部１３に収容される。なお、前述したように、レンズキャップ１の円筒部１２の内径がレンズフード３５の外径よりも若干大きいため、円筒部１２の内周面に滑り止め部材１８が設けられていても、スムーズにレンズキャップ１をレンズフード３５に被せることができる。
【００２８】
レンズキャップ１の円盤部１１の内面がレンズフード３５の前端に当接することで、それ以上のレンズキャップ１のレンズフード３５に対する後方への移動が阻止される。この状態で、タブ部１５を周方向に引っ張り、円筒部１２の後端側の部分の内径を減少させながらループ部材１６をフック部材１７に貼り付ける。これにより、図６に示すように、タブ部１５が閉じ状態で固定され、レンズキャップ１がレンズフード３５に装着される。
【００２９】
この状態では、円筒部１２の後端側の部分には、その伸縮性により発生した戻り力によってレンズフード３５を締め付ける力として作用しており、該締め付け力によって、滑り止め部材１８がレンズフード３５の外周面に押し付けられる。これにより、滑り止め部材１８とレンズフード３５の外周面との間には摩擦力が発生し、レンズキャップ１はフード３５に対して前方にずれ難い状態で装着される。
【００３０】
そして、開口部１３内に収容されているフード固定ノブ３５１は、閉じ状態のタブ部１５に当接することで、通路部１４を後方に通過することができなくなる。このため、滑り止め部材１８とレンズフード３５の外周面との間に作用する摩擦力より大きい外力がレンズキャップ１に前方に向かって作用しても、レンズキャップ１がレンズフード３５に対して前方にずれたり外れたりすることが防止される。
【００３１】
このように、本実施例では、レンズキャップ１をレンズフード３５に被せる際に、レンズフード３５から突出した凸部としてのフード固定ノブ３５１を通路部１４を通して開口部１３に収容し、タブ部１５を閉じる。これにより、レンズフード３５よりも前後方向の長さが短いコンパクトな形状を有し、レンズフード３５に段差部がなくてもレンズフード３５に対してずれたり外れたりし難いレンズキャップ１を実現することができる。
【００３２】
図７には、レンズフード３５がフード固定ノブ３５１および交換レンズ３に対して前方にスライドし、交換レンズ３の前端よりも前方に突出した突出状態（使用状態）を示している。この突出状態のレンズフード３５は、撮影画角外からの有害光を遮断して、有害光が交換レンズ３に入射することを防止する。
【００３３】
図８には、突出状態のレンズフード３５にレンズキャップ１を被せた様子を示している。この場合も、開き状態にあったタブ部１５を周方向に引っ張り、円筒部１２の後端側の部分の内径を減少させながらループ部材１６をフック部材１７に貼り付ける。これにより、タブ部１５が閉じ状態で固定され、レンズキャップ１がレンズフード３５に装着される。
【００３４】
ただし、この場合は、レンズフード３５の前端からフード固定ノブ３５１までの距離が、レンズフード３５が格納状態にあるときに比べて長くなっている。このため、レンズフード３５にレンズキャップ１を被せても、フード固定ノブ３５１はレンズキャップ１の開口部１３および通路部１４よりも後方に位置する。つまり、フード固定ノブ３５１が開口部１３（および通路部１４）内に収容されない。
【００３５】
しかし、前述したように、円筒部１２の後端側の部分にはレンズフード３５を締め付ける力が作用しており、該締め付け力によって、滑り止め部材１８がレンズフード３５の外周面に押し付けられる。これにより、滑り止め部材１８とレンズフード３５の外周面との間に摩擦力が発生し、レンズキャップ１はフード３５に対して前方にずれ難い。
【００３６】
図９には、レンズフード３５を格納状態とし、さらに該レンズフード３５にレンズキャップ１を被せた交換レンズ３（図７に示す交換レンズ３に相当する）を、収納ケース４に収納した様子を示している。
【００３７】
収納ケース４内の前部には前側押え部材４１が配置されており、該前側押え部材４１は、レンズキャップ１の円筒部１２と円盤部１１を介してレンズフード３５を支持する。前側押え部材４１は弾性を有し、弾性変形した状態で円筒部１２と円盤部１１に圧接する。また、前側押え部材４１には、フード固定ノブ３５１との干渉を避けるための凹部４３が形成されている。
【００３８】
また、収納ケース４内の後部には後側押え部材４２が配置されており、該後側押え部材４２は、交換レンズ３のマウント部３２を支持する。後側押え部材４２も弾性を有し、弾性変形した状態でマウント部３２に圧接する。
【００３９】
このようにして、レンズフード３５にレンズキャップ１が被せられた交換レンズ３は、収納ケース４内で位置決めされる。前側押え部材４１は直接、レンズフード３５を支持するのではなく、レンズキャップ１を介してレンズフード３５を支持する。これにより、レンズフード３５の外周面や前端面に前側押え部材４１との擦れによって傷が付くことを防止できる。さらに、収納レース４に衝撃が加わった場合でも、前側押え部材４１とレンズキャップ１による衝撃緩和効果によって、レンズフード３５および交換レンズ３の前部に伝わる衝撃を和らげることができる。
【００４０】
なお、上記実施例では、交換レンズに取り付けられたレンズフードにレンズキャップを被せる場合について説明した。しかし、レンズ一体側のカメラ（光学機器）に搭載されるレンズ鏡筒に取り付けられたレンズフードに本発明の実施例であるレンズキャップを被せるようにしてもよい。また、上記実施例では、レンズフードに設けられた凸部がフード固定ノブ３５１である場合について説明したが、フード固定ノブ３５１以外の凸部であってもよく、例えば開口部１３に収納するために専用に設けられた突起部であってもよい。
【００４１】
以上説明した実施例は代表的な例にすぎず、本発明の実施に際しては、実施例に対して種々の変形や変更が可能である。
【産業上の利用可能性】
【００４２】
コンパクトで、レンズフードから外れ難いレンズキャップを提供できる。
【符号の説明】
【００４３】
１  レンズキャップ
１１  円盤部
１２  円筒部
１３  開口部
１４  通路部
１５  タブ部
３  交換レンズ
３５１  フード固定ノブ
【図１】
2012042874.tif 000003
【図２】
2012042874.tif 000004
【図３】
2012042874.tif 000005
【図４】
2012042874.tif 000006
【図５】
2012042874.tif 000007
【図６】
2012042874.tif 000008
【図７】
2012042874.tif 000009
【図８】
2012042874.tif 000010
【図９】
2012042874.tif 000011